(57)【特許請求の範囲】
【請求項１】
用紙上に画像形成を行う画像形成部と、
用紙が積層されて収納される積層収納部と、
この積層されている用紙を１枚ずつ分離して取り出し前記画像形成部に搬送する給紙装置とを備え、
前記積層収納部への前記用紙の補給はフロントローディング方式である画像形成装置において、
前記搬送を行う搬送経路上に設けられ前記積層収納部から取り出された前記用紙が一時的に収納される一時収納部と、
この一時収納部に前記積層収納部から搬送された前記用紙を先端から収納し、また、前記一時収納部に収納されている前記用紙の後端を先端とするように前記用紙をスイッチバックして前記画像形成部に向けて送り出す用紙反転装置と、
前記搬送経路またはその先に前記用紙を搬送する搬送経路で用紙詰まりの発生を検出する用紙詰まり検出センサと、
前記用紙詰まりを検出したときは前記画像形成部および前記給紙装置の運転を停止する運転停止手段と、
この運転停止のときにも前記積層収納部と前記一時収納部を結ぶ前記搬送経路で搬送中の前記用紙については前記給紙装置による搬送を維持して前記一時収納部に収納する収納手段とを備えていることを特徴とする画像形成装置。
【請求項２】
前記収納部は前記用紙を積層して複数枚収納可能であり、前記収納手段により前記一時収納部と前記一時収納部を結ぶ前記搬送経路で搬送中の前記用紙が複数枚あってもそのすべてを前記一時収納部に収納することを可能としたことを特徴とする請求項１に記載の画像形成装置。
【請求項３】
装置本体を被う筐体と、
前記筐体に開閉自在に設けられ、閉じたときは前記画像形成部の前記用紙を搬送する搬送経路および前記一時収納部を共に覆う蓋とを備えていることを特徴とする請求項１または２に記載の画像形成装置。
【請求項４】
前記画像形成部と前記一時収納部とは上下に隣接して配置されていることを特徴とする請求項３に記載の画像形成装置。
【請求項５】
前記画像形成部および前記一時収納部は前記蓋を開けて前記装置本体より一体的に引き出し可能であることを特徴とする請求項３または４に記載の画像形成装置。
【発明の詳細な説明】
【０００１】
【発明の属する技術分野】
この発明は、画像形成装置に関する。
【０００２】
【従来の技術】
従来の電子写真方式の画像形成装置では、積載されて収納されている用紙を一枚ずつ分離して取り出し、所定の搬送経路上を搬送して、電子写真方式で画像形成を行う画像形成部に供給している。この場合に、画像形成部の直前で用紙と画像位置を整合するレジストレーション動作をレジストローラにより行っている。
【０００３】
特開平５−２８９４５３号公報には、搬送経路上で用紙を一定期間増速搬送することにより、画像形成部で画像形成している用紙との用紙間隔を短縮する技術が開示されている。
【０００４】
特開平８−２５９０４５号公報、特開平８−２０１０６号公報および特開平５−９７３０５号公報には、画像形成部で用紙の片面の画像形成後、スイッチバック経路に用紙を導き、スイッチバック経路で用紙をスイッチバックさせて画像形成部に戻すことにより用紙の裏面にも画像形成を行えるようにした技術が開示されている。
【０００５】
特許第２７７９８２６号公報には、片面の画像形成後の用紙を反転再給紙する両面装置について、用紙を反転する手段の手前に搬送経路を切換える手段を設け、用紙詰まりが発生した時、当該以外の用紙を通常の搬送経路以外に排出する技術が開示されている。
【０００６】
【発明が解決しようとする課題】
しかし、画像形成部の直前でレジストレーション動作を行う前記従来の画像形成装置では、積載収納されている用紙から分離したときの用紙の先端位置のバラツキ、用紙の搬送速度の経時や環境による変動、レジストレーション動作を行うための停止時間などが要因となって、連続的に画像形成部に用紙を供給して行う画像形成は、一般に数１０ｍｍの用紙間隔をもって行われていた。
【０００７】
前記特開平５−２８９４５３号公報に開示の技術は、このような用紙間隔を短縮することにより、電子写真プロセスの速度をアップすることなく、連続的な画像形成の能率を向上しようとする技術であるが、増速搬送によって用紙間隔を短縮しようとするものであるため、増速する位置までの搬送経路が長い場合、この経路上に存在する用紙すべてを同様の速度に増速搬送する必要があり、装置の変速制御が大掛かりになって構成が煩雑になったり、騒音が増大したりするなどの不具合がある。
また、用紙の搬送経路上で用紙詰まり（ジャム）が発生した場合、従来は、用紙詰まりをさらに悪化させないために、画像形成装置内の用紙の搬送運転を停止している。そのため、用紙を積層して収納している用紙カセットが用紙の補給をフロントローディング方式で行うものである場合には、この用紙カセットと、この用紙カセット内の用紙を取り出して画像形成部に搬送する搬送装置の搬送経路とにまたがって用紙が停留した場合、用紙カセットを誤って引き出すと用紙が幅方向にせん断され、装置の破損や、破れた用紙片が装置内に残留して用紙詰まりの原因となってしまう不具合がある。
【０００８】
この発明の目的は、画像形成部に連続搬送する用紙の間隔を縮めて、画像形成の生産性を向上させることができる画像形成装置を提供することである。
【０００９】
この発明の別の目的は、用紙を搬送する経路中での用紙詰まりの発生に伴って、破れた用紙片により装置の破損や別の用紙詰まりを生じることのない画像形成装置を提供することである。
この発明の別の目的は、用紙詰まり後の後処理作業が容易である画像形成装置を提供することである。
【００１０】
【課題を解決するための手段】
請求項１に記載の発明は、用紙上に画像形成を行う画像形成部と、用紙が積層されて収納される積層収納部と、の積層されている用紙を１枚ずつ分離して取り出し前記画像形成部に搬送する給紙装置とを備え、前記積層収納部への前記用紙の補給はフロントローディング方式である画像形成装置において、前記搬送を行う搬送経路上に設けられ前記積層収納部から取り出された前記用紙が一時的に収納される一時収納部と、この一時収納部に前記積層収納部から搬送された前記用紙を先端から収納し、また、前記一時収納部に収納されている前記用紙の後端を先端とするように前記用紙をスイッチバックして前記画像形成部に向けて送り出す用紙反転装置と、前記搬送経路またはその先に前記用紙を搬送する搬送経路で用紙詰まりの発生を検出する用紙詰まり検出センサと、前記用紙詰まりを検出したときは前記画像形成部および前記給紙装置の運転を停止する運転停止手段と、この運転停止のときにも前記積層収納部と前記一時収納部を結ぶ前記搬送経路で搬送中の前記用紙については前記給紙装置による搬送を維持して前記一時収納部に収納する収納手段とを備えていることを特徴とする画像形成装置である。
【００１１】
したがって、一時収納部に一時的に用紙を収納することができるので、積載収納されている状態から分離したときの用紙の先端位置のバラツキを吸収することができ、用紙の搬送速度を過渡的に加速することなく、画像形成部に連続搬送する用紙の間隔を縮めて、画像形成の生産性を向上させることができる。また、画像形成装置内で用紙を搬送する用紙搬送経路で用紙詰まりが発生しても、一時収納部と一時収納部を結ぶ搬送経路で搬送中の用紙については一時収納部に収納されるので、積層収納部を引き出しても用紙がせん断されることがなく、装置の破損や、別の用紙詰まりを生じることを防止することができる。
【００１２】
請求項２に記載の発明は、請求項１に記載の画像形成装置において、前記収納部は前記用紙を積層して複数枚収納可能であり、前記収納手段により前記一時収納部と前記一時収納部を結ぶ前記搬送経路で搬送中の前記用紙が複数枚あってもそのすべてを前記一時収納部に収納することを可能としたことを特徴とする。
【００１３】
したがって、一時収納部と一時収納部を結ぶ搬送経路で搬送中の用紙が複数枚あってもすべて一時収納部に収納されるので、積層収納部を引き出しても用紙がせん断されることがなく、装置の破損や、別の用紙詰まりを生じることを防止することができる。
【００１４】
請求項３に記載の発明は、請求項１または２に記載の画像形成装置において、装置本体を被う筐体と、前記筐体に開閉自在に設けられ、閉じたときは前記画像形成部の前記用紙を搬送する搬送経路および前記一時収納部を共に覆う蓋とを備えていることを特徴とする。
【００１５】
したがって、単一の蓋を開くだけで画像形成部に詰まっている用紙も、一時収納部に搬送された用紙も一度に取り除くことができるので、用紙詰まり後の後処理作業が容易である。
【００１６】
請求項４に記載の発明は、請求項３に記載の画像形成装置において、前記画像形成部と前記一時収納部とは上下に隣接して配置されていることを特徴とする。
【００１７】
したがって、画像形成部で詰まっている用紙と一時収納部に搬送された用紙の位置が近いため、用紙詰まり後の後処理作業がさらに容易である。
【００１８】
請求項５に記載の発明は、請求項３または４に記載の画像形成装置において、前記画像形成部および前記一時収納部は前記蓋を開けて前記装置本体より一体的に引き出し可能であることを特徴とする。
【００１９】
したがって、蓋を開けて画像形成装置より画像形成部および一時収納部を一体的に引き出すことができるので、画像形成部で詰まっている用紙と一時収納部に搬送された用紙が取り除きやすく、用紙詰まり後の後処理作業がさらに容易である。
【００２０】
【発明の実施の形態】
図１は、この発明の一実施の形態である画像形成装置の概略構成を示す概念図である。図１に示すように、この画像形成装置１は、電子写真方式で画像形成を行う画像形成部２と、画像形成部２に供給するための用紙３を積層して収納する積層収納部である用紙カセット４と、この積層された用紙３を１枚ずつ分離して画像形成部２に搬送する給紙装置５とを備えている。
【００２１】
画像形成部２は、感光体６と、感光体６を帯電する帯電器７と、感光体６上に静電潜像を光書込みするデジタル光書込装置８と、感光体６上の静電潜像をトナーで現像する現像器９と、現像後のトナー画像を用紙３上に転写する転写器１０と、感光体６上の残存トナーを除去するクリーニング装置１１とを備えていて、デジタル電子写真プロセスで用紙３上に画像の形成を行うものである。定着装置１２は用紙３上に転写されたトナー画像を定着し、この定着後の用紙３は排紙ローラ１３により画像形成部２外に排紙される。
【００２２】
用紙カセット４は、上下に並べて複数個、この例では４つ設けられていて、前面に引き出すことにより用紙の補給を行うフロントローディング方式のものである。
【００２３】
給紙装置５は、用紙カセット４内で積層された用紙３を１枚ずつ取り出す給紙ローラ１４と、この取り出した用紙３を１枚ずつ分離する分離ローラ１５とを、各用紙カセット４に備えている。また、給紙装置５は、この各用紙カセット４から給紙ローラ１４および分離ローラ１５を用いて取り出した用紙３を画像形成部２まで搬送するための搬送経路１６を備えている。この搬送経路１６の中間位置からは、最奥部が行き止まりになっていて、用紙３を一時的に収納する一時収納部となるスイッチバック経路１７が分岐している。搬送経路１６は、スイッチバック経路１７により、搬送経路１８と１９に２分されている。搬送経路１８は、用紙カセット４とスイッチバック経路１７の出入口とを結ぶ経路で、モータ２６（図２参照）で駆動されて用紙３を搬送する搬送ローラ２０が設けられている。搬送経路１９は、スイッチバック経路１７の出入口と画像形成部２とを結ぶ経路で、モータ２８（図２参照）で駆動されて用紙３を搬送する搬送ローラ２１が設けられている。用紙反転装置である搬送ローラ２２はモータ３０（図２参照）により駆動されて正逆回転可能なローラ対であり、スイッチバック経路１７に設けられている。搬送ローラ２２は用紙３をニップして正逆回転することにより、搬送経路１８を用紙カセット４から搬送されてくる用紙３を先端からスイッチバック経路１７内に収納し、また、スイッチバック経路１７内に収納されている用紙３を、この用紙３の後端を先端とするようにスイッチバックして、画像形成部２に向けて搬送経路１９に送り出す。スイッチバック経路１７には、用紙３のスイッチバック動作のタイミングをとるために用紙３を検出する用紙検出センサ２３が設けられている。搬送経路１９における搬送ローラ２１の手前位置には、用紙３を検出して画像形成装置１が行うレジストレーション動作のタイミングをとるレジストセンサ２４が設けられている。定着装置１２と排紙ローラ１３との間の経路には、用紙３を検出する用紙詰まりセンサである定着センサ３５が設けられている。
【００２４】
図２は、画像形成装置１の制御系の電気的な接続を示すブロック図である。この制御系は、画像形成装置１の全体を集中的に制御するマイコン２５には、画像形成部２と、搬送ローラ２０を回転するモータ２６を駆動するモータドライバ２７と、搬送ローラ２１を回転するモータ２８を駆動するモータドライバ２９と、搬送ローラ２２を回転するモータ３０を駆動するモータドライバ３１と、搬送ローラ２２を開閉動作するソレノイド３２を駆動するソレノイドドライバ３３と、用紙検出センサ２３と、レジストセンサ２４と、定着センサ３５とが接続されている。また、図示しない各種アクチュエータ、センサが接続されている。
【００２５】
以上の構成の画像形成装置１において、スイッチバック経路１７への用紙３の進入は、分離ローラ１５と搬送ローラ２０が回転することで行い、用紙検出センサ２３による用紙３の端部の検出タイミングから、スイッチバック経路１７への進入完了のタイミングをマイコン２５（図２参照）で算出することにより進入動作を完了する。
【００２６】
スイッチバック経路１７からの用紙３の送出は、搬送ローラ２２，２１を回転することで行う。また、従来、レジストローラにより行っていたレジストレーション動作は、搬送ローラ２１，２２により行う。
【００２７】
搬送経路１６の分岐部分には図示しないガイド部材により常に画像形成部２側に用紙３の先端がガイドされる。これは、例えば可撓性のガイド部材によって用紙３の先端を上方にガイドしてもよいし、ソレノイドなど駆動手段を備えたゲートによって強制的に搬送経路１８から搬送経路１９に切換えるようにしてもよい。
【００２８】
従来の技術では、スイッチバック経路１７などを設けておらず、レジストレーション動作によって待機している用紙３の後端は搬送ローラ２０，２１、分離ローラ１５などにより挟持された状態で停止していたので、次の用紙３の分離・給送を開始して用紙３の先端位置のバラツキを事前調整するなどの動作を行うことが出来なかった。また搬送ローラ２０，２１、分離ローラ１５が用紙を挟持した状態で停止・給送開始可能に設計する必要があった。また用紙３の停止時や給送開始時にはレジストローラの搬送負荷変動が発生する場合があり、これが搬送速度の変化を招かぬようにレジストローラの駆動力を十分強く設計し、用紙３の挟持力を高める必要があった。またこのような負荷変動はショックジッタと呼ばれる横線状の画像不良や搬送速度変動前後の濃度変化など画像不良を招き大きな問題となる場合もあった。
【００２９】
本発明の実施の形態の画像形成装置１では、スイッチバック経路１７を、用紙３を一時貯蔵する部位として活用することにより、レジストレーション動作などにより画像形成動作の開始を待機している用紙３の後端が搬送ローラ２０や分離ローラ１５にとどまることがないので、次の用紙３の給送開始、バラツキの補正などの動作を行うことが可能となる。したがって、用紙３の搬送速度を従来のように過渡的に増速することなく、画像形成部２に連続搬送する用紙３，３の間隔を縮めて、画像形成の生産性を向上させることができる。
【００３０】
また、分離ローラ１５での分離負荷発生などが回避できるので、画像形成される用紙３の搬送速度の安定化が可能となり、搬送速度変動に伴う画像劣化を回避できる。
【００３１】
搬送経路１６の画像形成部２近傍には、従来のレジストローラは設けられていない。その代わりに、搬送ローラ２１がレジストローラの機能も兼ねる。この搬送ローラ２１は用紙３の先端のスキュー補正が可能なニップ形状を備え、レジストレーション動作が実行できる。このような構成とすることで一対のローラ（レジストローラ）およびその駆動に必要な部品を削減し、装置の小型化、製造コストの低減が可能となる。
【００３２】
すなわち、搬送ローラ２２によって搬送された用紙３は、搬送経路１９における搬送ローラ２１の手前位置でレジストセンサ２４によって先端が検出されてから一定の間隔をおいて搬送ローラ２２による搬送を停止することで、搬送ローラ２１に対して突き当てられて、レジストレーション動作を行う。この状態では搬送ローラ２２は用紙３を挟持しているので、後続する用紙３はこの動作が完了するまでに搬送ローラ２２に用紙３の先端が到着しないタイミングで先行する用紙３の給紙を開始する必要がある。このように、レジストレーション動作を搬送ローラ２１，２２を用いて行うようにしたので、従来のレジストローラを不要として製造コストを低減することができる。
【００３３】
図３に、画像形成装置１内で紙詰まりが発生した状態を示す。画像形成装置１で画像形成を行うに際し、先行する用紙ａ（以下、給紙装置５により画像形成部２に連続的に搬送される用紙３のうち、先頭のものを用紙ａ、用紙ａの後方のものを用紙ｂ、さらにその後方のものを用紙ｃという）の先端が定着装置１２にうまく進入せず、用紙詰まりとなると、これは定着センサ３５に所定時間が経過しても用紙ａの先端が到着しないことで検出される。後行する用紙ｂは、ちょうどこの時、用紙カセット４からスイッチバック経路１７にかけて搬送途上にある。従来技術においては用紙詰まり発生が検出されると用紙詰まりを悪化させない為に直ちに装置の用紙搬送運転を停止していた。このため、用紙詰まりの後処理に当たっては、誤って用紙カセット４を引き出して用紙３を取り除こうとすると、図４に示すように、搬送途上の用紙３が用紙カセット４内のサイドフェンス３６と分離ローラ１５に拘束されたまま幅方向に引き裂かれてしまい、引き裂かれた用紙３が、用紙カセット４の引き出し機構や分離ローラ１５に詰まって破損を招き、用紙３片が分離ローラ１５近傍に残り、次の運転開始時に用紙詰まりを引き起こし、再び運転中止を招くなどの不具合が発生していた。また、これを回避する為に用紙カセット４の引き出し方向だけではなく、画像形成装置１の右側より給紙装置５の搬送経路１６を開放可能に構成し、側面より用紙３を引き裂くことなく除去できるように構成されることが一般的となっているが、画像形成装置１の下部の右側面側は低い姿勢で、しかも画像形成装置１に隣接して配置された什器類を回避しながら用紙詰まりを処理しなくてはならず、非常に操作性に劣るものであった。
【００３４】
前記のように、定着センサ３５が用紙詰まりを検出した場合、マイコン２５は、画像形成部２、モータ２８，３０の駆動を停止して、画像形成装置１の運転を直ちに停止する。これにより運転停止手段を実現している。しかし、搬送ローラ２０，２２、分離ローラ１５の運転は維持して、用紙ｂの搬送はスイッチバック経路１７に収納されるまで継続する。これにより、収納手段を実現している。そして用紙ｂの到着を用紙検出センサ２３で検出後、用紙ｂの搬送を停止する（図５参照）。
【００３５】
このように構成するならば、先行する用紙ａが用紙詰まりとなっても、用紙詰まり処理に当たって用紙カセット４を引き出しても何ら新たな不具合を発生することがなく操作性の向上に非常に好適である。しかも用紙詰まりの後処理を行う部位は、略画像形成装置１の中央部の操作し易い位置となるので、作業姿勢の点からも好適である。またスイッチバック経路１７を用紙３，３の間隔の短縮を目的に予め備えている装置では、このような操作性の改善の為に新たな部品の付加は必要なく、コストアップや装置の大型化を招くことがない。
【００３６】
図６に示すように、定着センサ３５によって前述のような用紙詰まりが検出された時、最下段の用紙カセット４より連続的に用紙搬送を行っていた場合には、スイッチバック経路１７に至る搬送経路１８が長いため、搬送経路１８には２枚の用紙ｂ，ｃが存在する。搬送ローラ２２は、ソレノイド３２の駆動により開閉する。この開閉により搬送ローラ２２で用紙３を挟持し、また、その挟持を開放することができる。そこで、搬送ローラ２２を開いて、用紙ｂをスイッチバック経路１７に搬送した後、継続して用紙ｃをスイッチバック経路１７に搬送するならば、用紙ｃは用紙ｂの下面に倣いながら積層してスイッチバック経路１７まで搬送することが可能となる。
より詳しく説明すると、用紙ｂの後端が搬送ローラ２０１より離間すると用紙ｂ自体の剛性により用紙ｂの後端は水平に直線状に跳ね上がり、次の用紙ｃの先端を積層するのに適した方向にガイドする作用をもたらすので、用紙ｂとｃが衝突することなく積層しながら搬送が可能となる（図７参照）。
【００３７】
このように複数枚の用紙３をスイッチバック経路１７に収納可能に構成し、用紙カセット４からスイッチバック経路１７までの区間で搬送途上の用紙ａ，ｂをすべてスイッチバック経路１７まで搬送した後、搬送を停止するように構成したので、搬送経路の長い用紙カセット４から用紙給送中であっても確実にスイッチバック経路１７まで搬送を行うことができ、用紙詰まり処理に当たって用紙カセット４を引き出しても何ら新たな不具合を発生することがなく操作性の向上に非常に好適である。また、従来技術では用紙ｂ、用紙ｃに対する除去作業を独立して実施する必要があったが、本画像形成装置１によれば、用紙ｂ，ｃは積層された状態でまとめて除去されるので、除去する操作数が低減でき、また除去操作を忘れて用紙詰まり処理方法に困惑することを回避することもでき、この点においても操作性の改善に非常に有効である。
【００３８】
図８に示すように、画像形成装置１の筐体３７の前面には、開閉自在の蓋３８が設けられている。この蓋３８は、閉じたときに、画像形成部２とスイッチバック経路１７とを覆い、開いたときには、これらを開放するものである。このようにすれば、単一の蓋３８を開くだけで、スイッチバック経路１７から用紙ｂを取り除く作業と、画像形成部２から用紙ａを取り除く作業を行えるので、用紙詰まり後の後処理作業が容易である。
【００３９】
図９に示すように、画像形成装置１は、用紙３を水平に搬送する搬送経路を持った画像形成部２と、同じく用紙３を水平にスイッチバックするスイッチバック経路１７とを上下に隣接させて設け、その間に用紙詰まり処理を行う為の空間３９を設けている。このような構成にすることにより、スイッチバック経路１７から用紙ｂを取り除く時には、図９に示すように空間３９に手を差し伸べて作業を行い、画像形成部２から用紙ａを取り除く時には、図１０に示すように空間３９に画像形成部２の一部（この例では転写装置１０）を移動し、これにより新たに生まれる空間４０に手を差し伸べて作業を行うことが可能となる。従って、用紙ａとｂの位置を近づけることができ、また、装置を大型化させることなく、用紙詰まり処理を行うための空間を拡大して作業を容易とすることができるので、用紙詰まり後の後処理作業が容易である。
【００４０】
図１１に示すように、画像形成装置１は、画像形成部２の保守点検操作を容易とするために画像形成部２の一部を引出状に前方へ引き出せる機構としている。このような機構の画像形成装置１は従来から存在する。しかし、本画像形成装置１では画像形成部２の一部とスイッチバック経路１７を一体的に引き出し可能に構成されている。従って、用紙詰まりが発生したときに用紙３がスイッチバック経路１７から画像形成部２へまたがった位置で停止した場合においても、画像形成部２を引き出しても、用紙３を用紙幅方向への引き裂いてしまうことがない。したがって、引き裂かれた用紙３が、搬送ローラ２１，２２に詰まって装置の破損を招き、次の運転開始時に用紙詰まりを引き起こし、再び運転中止を招くなどの不具合を生じるおそれがない。
しかも、用紙詰まりが検出された時、スイッチバック経路１７と用紙カセット４とにまたがる用紙３が存在したとしても、前記のように、必ずスイッチバック経路１７まで用紙３は移動した後停止するように構成されているので、画像形成部２を引き出しても用紙カセット４とスイッチバック経路１７との間にまたがった用紙３が引き裂かれる心配はなく、この問題回避にたいへん好適である。
【００４１】
【発明の効果】
請求項１に記載の発明は、一時収納部に一時的に用紙を収納することができるので、積載収納されている状態から分離したときの用紙の先端位置のバラツキを吸収することができ、用紙の搬送速度を過渡的に加速することなく、画像形成部に連続搬送する用紙の間隔を縮めて、画像形成の生産性を向上させることができる。また、画像形成装置内で用紙を搬送する用紙搬送経路で用紙詰まりが発生しても、一時収納部と一時収納部を結ぶ搬送経路で搬送中の用紙については一時収納部に収納されるので、積層収納部を引き出しても用紙がせん断されることがなく、装置の破損や、別の用紙詰まりを生じることを防止することができる。
【００４２】
請求項２に記載の発明は、請求項１に記載の画像形成装置において、一時収納部と一時収納部を結ぶ搬送経路で搬送中の用紙が複数枚あってもすべて一時収納部に収納されるので、積層収納部を引き出しても用紙がせん断されることがなく、装置の破損や、別の用紙詰まりを生じることを防止することができる。
【００４３】
請求項３に記載の発明は、請求項１または２に記載の画像形成装置において、単一の蓋を開くだけで画像形成部に詰まっている用紙も、一時収納部に搬送された用紙も一度に取り除くことができるので、用紙詰まり後の後処理作業が容易である。
【００４４】
請求項４に記載の発明は、請求項３に記載の画像形成装置において、画像形成部で詰まっている用紙と一時収納部に搬送された用紙の位置が近いため、用紙詰まり後の後処理作業がさらに容易である。
【００４５】
請求項５に記載の発明は、請求項３または４に記載の画像形成装置において、蓋を開けて画像形成装置より画像形成部および一時収納部を一体的に引き出すことができるので、画像形成部で詰まっている用紙と一時収納部に搬送された用紙が取り除きやすく、用紙詰まり後の後処理作業がさらに容易である。
【図面の簡単な説明】
【図１】この発明の一実施の形態である画像形成装置の構成を示す概念図である。
【図２】前記画像形成装置の給紙装置の制御系の電気的な接続を示すブロック図である。
【図３】前記画像形成装置の動作を説明する概念図である。
【図４】前記画像形成装置の動作を説明する概念図である。
【図５】前記画像形成装置の動作を説明する概念図である。
【図６】前記画像形成装置の動作を説明する概念図である。
【図７】前記画像形成装置の動作を説明する概念図である。
【図８】前記画像形成装置の動作を説明する概念図である。
【図９】前記画像形成装置の動作を説明する概念図である。
【図１０】前記画像形成装置の動作を説明する概念図である。
【図１１】前記画像形成装置の動作を説明する概念図である。
【符号の説明】
１      画像形成装置
２      画像形成部
３      用紙
４      積層収納部
５      給紙装置
１６    搬送経路
１７    一時収納部
１８    搬送経路
１９    搬送経路
２２    用紙反転装置
２３    用紙検出センサ
３７    筐体
３８    蓋
【図１】
0003854756.tif 000002
【図２】
0003854756.tif 000003
【図３】
0003854756.tif 000004
【図４】
0003854756.tif 000005
【図５】
0003854756.tif 000006
【図６】
0003854756.tif 000007
【図７】
0003854756.tif 000008
【図８】
0003854756.tif 000009
【図９】
0003854756.tif 000010
【図１０】
0003854756.tif 000011
【図１１】
0003854756.tif 000012